(57)【要約】【課題】  従来の払拭部材を用いたクリーニング方法では、ノズル形成面で液体が乾燥して付着した固着物を除去することが困難である課題がある。【解決手段】  ノズルから液体を吐出する液体吐出ヘッドのノズル形成面を払拭する払拭部材と、前記ノズル形成面に付与される洗浄液と、を備え、前記払拭部材は、少なくとも２層からなり、前記洗浄液は、所定の一般式（１）で表される化合物、及びグリコールエーテル化合物を含有する払拭装置。【選択図】図３
2020082568.tif 000002
【特許請求の範囲】
【請求項１】
ノズルから液体を吐出する液体吐出ヘッドのノズル形成面を払拭する払拭部材と、
前記ノズル形成面に付与される洗浄液と、を備え、
前記払拭部材は、少なくとも２層からなり、
前記洗浄液は、下記一般式（１）で表される化合物、及びグリコールエーテル化合物を含有する払拭装置。
【化１】
2020082568.tif 000018
（前記一般式（１）で表される化合物において、Ｒ１は炭素数が１以上４以下のアルキル基である。）
【請求項２】
前記グリコールエーテル化合物は、下記一般式（２）で表される化合物である請求項１に記載の払拭装置。
【化２】
2020082568.tif 000019
（前記一般式（２）で表される化合物において、Ｒ２はＣｎＨ２ｎ＋１であり、Ｒ３は水素原子またはメチル基である。ただし、ｍは１以上４以下の整数であり、ｎは１以上４以下の整数である。）
【請求項３】
前記グリコールエーテル化合物の含有量は、前記洗浄液に対して１．０質量％以上３０．０質量％以下である請求項１又は２に記載の払拭装置。
【請求項４】
前記払拭部材における前記ノズル形成面に接触する第一層目の空隙率は、前記第一層目以外の少なくとも一つの層の空隙率よりも小さい請求項１乃至３のいずれか一項に記載の払拭装置。
【請求項５】
前記第一層目の空隙率が０．６０以上０．８５以下である請求項１乃至４のいずれか一項に記載の払拭装置。
【請求項６】
前記状払拭部材に前記洗浄液を付与する洗浄液付与手段を有する請求項１乃至５のいずれか一項に記載の払拭装置。
【請求項７】
請求項１乃至６のいずれか一項に記載の払拭装置と、前記液体吐出ヘッドと、を備える液体吐出装置。
【請求項８】
前記液体は、色材、及び有機溶剤を含有する請求項７に記載の液体吐出装置。
【請求項９】
前記液体は、樹脂を含有し、色材を含有しない請求項７に記載の液体吐出装置。
【請求項１０】
ノズルから液体を吐出する液体吐出ヘッドのノズル形成面に洗浄液を付与する洗浄液付与工程と、
前記ノズル形成面を払拭部材で払拭する払拭工程と、を有する払拭方法であって、
前記払拭部材は、少なくとも２層からなり、
前記洗浄液は、下記一般式（１）で表される化合物、及びグリコールエーテル化合物を含有する払拭方法。
【化３】
2020082568.tif 000020
（前記一般式（１）で表される化合物において、Ｒ１は炭素数が１以上４以下のアルキル基である。）
【請求項１１】
前記グリコールエーテル化合物は、下記一般式（２）で表される化合物である請求項１０に記載の払拭方法。
【化４】
2020082568.tif 000021
（前記一般式（２）で表される化合物において、Ｒ２はそれぞれ独立してＣｎＨ２ｎ＋１であり、Ｒ３は水素原子またはメチル基である。ただし、ｍは１以上４以下の整数であり、ｎは１以上４以下の整数である。）
【請求項１２】
前記グリコールエーテル化合物の含有量は、前記洗浄液に対して１．０質量％以上３０．０質量％以下である請求項１０又は１１に記載の払拭方法。
【発明の詳細な説明】
【技術分野】
【０００１】
本発明は、払拭装置、液体吐出装置、及び払拭方法に関する。
【背景技術】
【０００２】
インクジェットプリンタに代表される液体吐出装置においては、ノズル形成面の異物によって吐出不良等の不具合が生じるため、定期的にクリーニングする必要がある。ノズル形成面のクリーニングに用いられる払拭部材としては、不織布や織布に代表されるシート状の払拭部材を組み合わせてクリーニングする方法が既に知られている。
【０００３】
特許文献１には、固体である粒子が液体中に分散した分散系液体をノズルから噴射する液体噴射ヘッドとワイピング部材とを相対移動することにより、ノズル形成面に付着した分散系液体をワイピング部材で払拭するワイパー装置が開示されている。このワイピング部材は、ノズル形成面側の第一層と、第一層に対してノズル形成面と反対側の第二層とを有している。第一層は、ノズル形成面に付着する分散系液体の分散媒である液滴を毛細管現象により第二層に導くとともに、分散系液体の分散質を捕捉して収容可能な空隙を有する。また、第二層は分散媒を吸収する。
【発明の概要】
【発明が解決しようとする課題】
【０００４】
しかしながら、従来の払拭部材を用いたクリーニング方法では、ノズル形成面で液体が乾燥して付着した固着物を除去することが困難である課題がある。
【課題を解決するための手段】
【０００５】
請求項１に係る発明は、ノズルから液体を吐出する液体吐出ヘッドのノズル形成面を払拭する払拭部材と、前記ノズル形成面に付与される洗浄液と、を備え、前記払拭部材は、少なくとも２層からなり、前記洗浄液は、下記一般式（１）で表される化合物、及びグリコールエーテル化合物を含有する払拭装置である。
【化１】
2020082568.tif 000003
（前記一般式（１）で表される化合物において、Ｒ１は炭素数が１以上４以下のアルキル基である。）
【発明の効果】
【０００６】
本発明の液体吐出装置は、ノズル形成面で液体が乾燥して付着した固着物を容易に除去することができる優れた効果を奏する。
【図面の簡単な説明】
【０００７】
【図１】図１は、払拭装置を組み込んだ画像形成装置の一例を模式的に表した図である。
【図２】図２は、液体吐出ヘッドのノズル形成面の一例を模式的に表した図である。
【図３】図３は、払拭装置の一例を模式的に表した図である。
【図４】図４は、シート状の払拭部材の断面の一例を模式的に表した図である。
【発明を実施するための形態】
【０００８】
本発明の態様は、例えば、以下の通りである。
（１）ノズルから液体を吐出する液体吐出ヘッドのノズル形成面を払拭する払拭部材と、
前記ノズル形成面に付与される洗浄液と、を備え、
前記払拭部材は、少なくとも２層からなり、
前記洗浄液は、下記一般式（１）で表される化合物、及びグリコールエーテル化合物を含有する払拭装置。
【化２】
2020082568.tif 000004
（前記一般式（１）で表される化合物において、Ｒ１は炭素数が１以上４以下のアルキル基である。）
（２）前記グリコールエーテル化合物は、下記一般式（２）で表される化合物である（１）に記載の払拭装置。
【化３】
2020082568.tif 000005
（前記一般式（２）で表される化合物において、Ｒ２はＣｎＨ２ｎ＋１であり、Ｒ３は水素原子またはメチル基である。ただし、ｍは１以上４以下の整数であり、ｎは１以上４以下の整数である。）
（３）前記グリコールエーテル化合物の含有量は、前記洗浄液に対して１．０質量％以上３０．０質量％以下である（１）又は（２）に記載の払拭装置。
（４）前記払拭部材における前記ノズル形成面に接触する第一層目の空隙率は、前記第一層目以外の少なくとも一つの層の空隙率よりも小さい（１）乃至（３）のいずれか一項に記載の払拭装置。
（５）前記第一層目の空隙率が０．６０以上０．８５以下である（１）乃至（４）のいずれか一項に記載の払拭装置。
（６）前記状払拭部材に前記洗浄液を付与する洗浄液付与手段を有する（１）乃至（５）のいずれか一項に記載の払拭装置。
（７）（１）乃至（６）のいずれか一項に記載の払拭装置と、前記液体吐出ヘッドと、を備える液体吐出装置。
（８）前記液体は、色材、及び有機溶剤を含有する（７）に記載の液体吐出装置。
（９）前記液体は、樹脂を含有し、色材を含有しない（７）に記載の液体吐出装置。
（１０）ノズルから液体を吐出する液体吐出ヘッドのノズル形成面に洗浄液を付与する洗浄液付与工程と、
前記ノズル形成面を払拭部材で払拭する払拭工程と、を有する払拭方法であって、
前記払拭部材は、少なくとも２層からなり、
前記洗浄液は、下記一般式（１）で表される化合物、及びグリコールエーテル化合物を含有する払拭方法。
【化４】
2020082568.tif 000006
（前記一般式（１）で表される化合物において、Ｒ１は炭素数が１以上４以下のアルキル基である。）
（１１）前記グリコールエーテル化合物は、下記一般式（２）で表される化合物である（１０）に記載の払拭方法。
【化５】
2020082568.tif 000007
（前記一般式（２）で表される化合物において、Ｒ２はＣｎＨ２ｎ＋１であり、Ｒ３は水素原子またはメチル基である。ただし、ｍは１以上４以下の整数であり、ｎは１以上４以下の整数である。）
（１２）前記グリコールエーテル化合物の含有量は、前記洗浄液に対して１．０質量％以上３０．０質量％以下である（１０）又は（１１）に記載の払拭方法。
【０００９】
以下、本発明の実施形態について説明する。
【００１０】
＜＜液体吐出装置、払拭装置、払拭方法＞＞
本実施形態の液体吐出装置は、ノズルから液体を吐出する液体吐出ヘッド、及び払拭装置などを有し、必要に応じて他の手段（例えば、記録媒体の給送、搬送、排紙に係わる手段や、前処理装置、後処理装置と称される装置など）を有する。払拭装置は、払拭部材、及び洗浄液を有し、必要に応じて他の手段を有する。また、払拭装置を有する液体吐出装置によって実行される払拭方法は、洗浄液付与工程、及び払拭工程を有し、必要に応じて他の工程を有する。払拭装置は、ノズルから液体を吐出する液体吐出ヘッドのノズル形成面に対して洗浄液を付与し、払拭部材を接触させることでノズル形成面を払拭する。なお、本実施形態において「払拭」とは、払拭部材及びノズル形成面を接触させつつ、払拭部材と液体吐出ヘッドを相対移動させることを表す。払拭部材を用いてノズル形成面を払拭することにより、例えば、ノズル形成面で液体が乾燥して付着した固着物をノズル形成面から除去することができる。また、例えば、ノズルから溢れ出た余剰液体を吸収することでノズル形成面から除去することができる。
【００１１】
まず、図１乃至図３を用いて、払拭装置を組み込んだ液体吐出装置の一例である画像形成装置（以降で説明する印刷方法を実行する印刷装置）を例に、液体吐出装置および払拭装置について説明する。画像形成装置は、液体の一例としてインクを吐出する装置であり、例えば、プリンタ、ファクシミリ装置、複写装置、プリンタ／ファックス／コピア複合機、立体造形装置などに好適に使用することができる。図１は、払拭装置を組み込んだ画像形成装置の一例を模式的に表した図である。図２は、液体吐出ヘッドのノズル形成面の一例を模式的に表した図である。図３は、払拭装置の一例を模式的に表した図である。
【００１２】
図１に示す画像形成装置は、シリアル型の液体吐出装置である。画像形成装置は、左右の側板に横架した主ガイド部材１及び従ガイド部材でキャリッジ３を移動可能に保持している。そして、キャリッジ３は、主走査モータ５によって、駆動プーリ６と従動プーリ７との間に架け渡したタイミングベルト８を介して主走査方向（キャリッジ移動方向）に往復移動する。このキャリッジ３には、液体吐出ヘッドの一例である記録ヘッド４ａ、４ｂ（区別しないときは「記録ヘッド４」という。）を搭載している。記録ヘッド４は、例えば、イエロー（Ｙ）、シアン（Ｃ）、マゼンタ（Ｍ）、ブラック（Ｋ）の各色のインク滴を吐出する。また、記録ヘッド４は、複数のノズルからなるノズル列を主走査方向と直交する副走査方向に配置し、滴吐出方向を下方に向けて装着している。
【００１３】
記録ヘッド４は、図２に示すように、ノズル形成面４１に、複数のノズル４ｎを配列した２つのノズル列Ｎａ、Ｎｂを有する。記録ヘッド４を構成する液体吐出ヘッドとしては、例えば、圧電素子などの圧電アクチュエータ、発熱抵抗体などの電気熱変換素子を用いて液体の膜沸騰による相変化を利用するサーマルアクチュエータを用いることができる。
【００１４】
また、図１に示す画像形成装置は、用紙１０を搬送するために、用紙を静電吸着して記録ヘッド４に対向する位置で搬送するための搬送手段である搬送ベルト１２を備えている。この搬送ベルト１２は、無端状ベルトであり、搬送ローラ１３とテンションローラ１４との間に掛け渡されている。そして、搬送ベルト１２は、副走査モータ１６によって、タイミングベルト１７及びタイミングプーリ１８を介して搬送ローラ１３が回転駆動されることによって、副走査方向に周回移動する。この搬送ベルト１２は、周回移動しながら帯電ローラによって帯電（電荷付与）される。
【００１５】
さらに、キャリッジ３の主走査方向の一方側には搬送ベルト１２の側方に記録ヘッド４の維持回復を行う維持回復機構２０が配置され、他方側には搬送ベルト１２の側方に記録ヘッド４から空吐出を行う空吐出受け２１がそれぞれ配置されている。維持回復機構２０は、例えば記録ヘッド４のノズル形成面（ノズルが形成された面）をキャッピングするキャップ部材２０ａ、ノズル形成面を払拭する機構２０ｂ、画像形成に寄与しない液滴を吐出する空吐出受けなどで構成されている。
【００１６】
また、画像形成装置は、キャリッジ３の主走査方向に沿って両側板間に、所定のパターンを形成したエンコーダスケール２３を張装している。また、キャリッジ３にはエンコーダスケール２３のパターンを読み取る透過型フォトセンサからなるエンコーダセンサ２４が設けられている。これらのエンコーダスケール２３とエンコーダセンサ２４によってキャリッジ３の移動を検知するリニアエンコーダ（主走査エンコーダ）を構成している。
【００１７】
また、搬送ローラ１３の軸にはコードホイール２５が取り付けられており、このコードホイール２５に形成したパターンを検出する透過型フォトセンサからなるエンコーダセンサ２６も設けられている。これらのコードホイール２５とエンコーダセンサ２６によって搬送ベルト１２の移動量及び移動位置を検出するロータリエンコーダ（副走査エンコーダ）が構成されている。
【００１８】
このように構成された画像形成装置において、用紙１０が帯電された搬送ベルト１２上に給紙されることで吸着され、搬送ベルト１２の周回移動によって用紙１０が副走査方向に搬送される。そこで、キャリッジ３を主走査方向に移動させながら画像信号に応じて記録ヘッド４を駆動することにより、停止している用紙１０にインク滴を吐出して１行分を記録する。そして、用紙１０を所定量搬送後、次の行の記録を行う。記録終了信号又は用紙１０の後端が記録領域に到達した信号を受けることにより、記録動作を終了して、用紙１０を排紙トレイに排紙する。
【００１９】
また、記録ヘッド４のクリーニングを行う場合は、印字（記録）待機中にキャリッジ３を維持回復機構２０に移動させ、維持回復機構２０により清掃を実施する。また、記録ヘッド４は移動せず、維持回復機構２０が移動してヘッドを清掃するようにしてもよい。図１で示した記録ヘッド４は、図２に示すように複数のノズル４ｎを配列した２つのノズル列Ｎａ、Ｎｂを有する。記録ヘッド４ａの一方のノズル列Ｎａはブラック（Ｋ）の液滴を、他方のノズル列Ｎｂはシアン（Ｃ）の液滴を吐出する。記録ヘッド４ｂの一方のノズル列Ｎａはマゼンタ（Ｍ）の液滴を、他方のノズル列Ｎｂはイエロー（Ｙ）の液滴を、それぞれ吐出する。
【００２０】
ノズル形成面を払拭する維持回復機構２０ｂは、払拭装置の一例であって、図３に示すように、払拭部材の一例であるシート状払拭部材３２０とシート状払拭部材３２０を送り出す送り出しローラ４１０と、送り出されたシート状払拭部材３２０に洗浄液を付与する洗浄液付与工程を実行する洗浄液付与手段の一例である洗浄液滴下装置４３０と、洗浄液を付与されたシート状払拭部材３２０をノズル形成面に押し当てる押し当て手段の一例である押し当てローラ４００と、払拭に使われたシート状払拭部材３２０を回収する巻き取りローラ４２０と、を有する。洗浄液は、途中に洗浄液を供給するポンプを設けられた洗浄液供給チューブを介し、洗浄液を収容する洗浄液収容容器から供給される。なお、ノズル形成面を払拭する機構２０ｂは、シート状払拭部材３２０のほかに、ノズル形成面を払拭するゴムブレード等を備えていても良い。また、押し当てローラ４００はバネを用いて、クリーニング部とノズル形成面の距離を調整することで、押し当て力を調整することができる。押し当て部材はローラに限らず、固定された樹脂やゴムの部材であっても良い。ゴムブレード等を備えている場合、シート状払拭部材３２０にゴムブレード等を当接させる機構を設けて、シート状払拭部材３２０にゴムブレード等のクリーニング機能を持たせても良い。また、シート状払拭部材は、小型化の観点から図３に示すようにロール状に巻き取られた状態で収納されていることが好ましいが、これに限らず、折り畳んで収納されている状態であってもよい。また、洗浄液付与手段としては、洗浄液滴下装置以外の手段であってもよく、例えば、洗浄液をローラで付与する洗浄液付与ローラ、洗浄液をスプレーで付与する洗浄液付与スプレーなどが挙げられる。また、洗浄液付与手段により実行される洗浄液付与工程は、洗浄液をノズル形成面に付与できる工程であれば特に制限はなく、上記実施形態のように、洗浄液付与手段を介して間接的に洗浄液を付与する工程以外に、洗浄液をノズル形成面に直接付与する工程であってもよいが、洗浄液付与手段を介して間接的に洗浄液を付与する工程が好ましい。
【００２１】
本実施形態では、払拭工程の一例として、払拭部材に洗浄液を一定量塗布した後、払拭部材がノズル形成面に押し当てられながら維持回復機構２０ｂと記録ヘッド４が相対的に移動することでノズル形成面に付着した異物５００を払拭する工程が実行される。ノズル形成面に付着する異物５００としては、ノズルからインクを吐出した際に発生するミストインクや、クリーニング等でノズルからインクを吸引したときに付着するインク、ミストインクやキャップ部材に付着したインクがノズル面で乾燥した固着インク、被印刷物から発生する紙粉などが挙げられる。本実施形態では、洗浄液を含有しない払拭部材に対して洗浄液が付与された後で異物５００の払拭が行われるが、予め洗浄液を含む払拭部材を用いることで洗浄液付与手段を用いない構成としてもよい。また、洗浄液が付与される場所は払拭部材以外であってもよく、ノズル形成面に直接付与されてもよい。すなわち、「ノズル形成面に付与される洗浄液」とは、結果的にノズル形成面に付与される全ての態様の洗浄液を意味し、例えば、ノズル形成面に直接的に付与される洗浄液、洗浄液を含む払拭部材を介してノズル形成面に間接的に付与される洗浄液などが挙げられるが、洗浄液を含む払拭部材を介してノズル形成面に間接的に付与される洗浄液であることが好ましい。また、長時間の待機状態により、ノズル形成面でインクが乾燥して固着していると想定される場合は、洗浄液を含んだ払拭部材でノズル形成面を複数回払拭することで取り除くことができる構成であることが好ましい。なお、洗浄液を用いてノズル形成面を払拭する工程に加えて、洗浄液を用いずにノズル形成面を払拭する工程を追加的に有してもよい。
【００２２】
＜払拭部材＞
次に、払拭部材について図４を用いて説明する。図４はシート状の払拭部材の断面の一例を模式的に表した図である。図４に示す払拭部材７００は、２層の不織布であって、液体吐出ヘッドのノズル形成面を払拭するためにノズル形成面と接触する表面を有する第一層目７１０と、ノズル形成面と接触しない裏面を有する第二層目７２０（第一層目以外の層）と、を有する。これ以外にも、例えば、吸収したインクの裏写り防止や払拭部材の強度向上を目的としてフィルムを裏打ちした３層構造や、吸収性の異なる複数の吸収層を第二層以降に設けた多層構造などでも良い。すなわち、払拭部材は、少なくとも２層からなり、第一層目以外の少なくとも一つの層を有する。払拭部材が少なくとも２層からなることで、定着性の高い液体（特に樹脂などを多く含むような液体）を使用する場合であっても、液体吐出ヘッドのノズル形成面における清浄性を維持することができる。
【００２３】
払拭部材を構成する材料としては、不織布のほかに、織布や編布、多孔質体などが挙げられる。特に、厚さと空隙率のコントロールが比較的容易であり、様々な種類の繊維の配合も容易である不織布を用いるのが好ましい。不織布や織布、編布などの繊維の材質としては、綿、麻、絹、パルプ、ナイロン、ビニロン、ポリエステル、ポリプロピレン、ポリエチレン、レーヨン、キュプラ、アクリル、ポリ乳酸、などが挙げられる。１種類の繊維からなる不織布だけではなく、複数種類の繊維が混ざった不織布でも良い。多孔質体としては、ポリウレタン、ポリオレフィン、ＰＶＡなどが挙げられる。払拭部材の製造方法の一例として、払拭部材が不織布である場合について説明する。不織布の形成方法としては、例えば、湿式、乾式、スパンボンド、メルトブローン、フラッシュ紡糸などの方法が挙げられる。また、不織布の結合方法としては、例えば、スパンレース、ニードルパンチ、サーマルボンド、ケミカルボンドなどの方法が挙げられる。スパンレース法とは、堆積された繊維上にジェット水流を噴射し、その圧力によって繊維同士を絡み合わせてシート状に結合させる製法である。ニードルパンチ法とは、堆積された繊維をバーブと呼ばれる突起のついた針を数１０回以上突き刺すことにより繊維同士を機械的に絡ませて不織布に加工する製法である。なお、払拭部材は不織布からなることが好ましい。不織布により形成されることで、払拭部材の厚み及び空隙率を所望の数値範囲に容易に調整することができる。
【００２４】
また、第一層目の空隙率は、第一層目以外の少なくとも一層の空隙率より小さいことで、固着インクに対するかきとり性が向上し、固着インク払拭性が向上する。ここで、空隙率は以下のように計算される。
【数１】
2020082568.tif 000008
そして、シート状の不織布等の場合には、上記の「真密度」はシートを形成する繊維の真密度であり、「見掛の密度」はシート状の材料の目付量と厚さから「目付量÷厚さ］で求めることができる。
【００２５】
払拭部材は、空隙率が小さいことで固着インクのかきとり性が高くなる。しかし、空隙率が小さい場合にはインクや洗浄液等の液成分を保持することが困難になり、結果として単一層のみではクリーニング性が不十分となる場合がある。そこで、第一層目以外の層に、液成分を保持可能な層（第一層目以外の少なくとも一つの層）を設けることが好ましい。インクや洗浄液等の保持機能（吸収機能）と固着物の払拭機能とを２層以上の構成に機能分離させて持たせることにより、従来の払拭部材では不十分だったインクや洗浄液等の保持機能及び固着物の払拭性を向上させることができる。また、付与される洗浄液量がばらついた場合にも、払拭部材の保持力が高いため、過剰量を付与された箇所の洗浄液がノズル孔内に侵入することを抑制できる。なお、払拭部材の層間において、上記の通り、第一層目の空隙率を第一層目以外の少なくとも一層の空隙率より小さくすることで、固着インク払拭性が向上する。
【００２６】
第一層目の空隙率は０．６０以上０．８５以下が好ましく、０．７５以上０．８０以下がより好ましい。第一層目の空隙率が０．６０以上０．８５以下であることで、固着インクの払拭性を向上させることができ、また、払拭部材が液体を透過しないフィルム状とならず、透過性を向上させることができる。
また、第一層目以外の少なくとも一つの層の空隙率は０．８０以上０．９９以下であることが好ましい。第一層目以外の層の空隙率が上記範囲内にあることで、液体や洗浄液の吸収性を向上させることが出来る。これらの第一層目と第一層目以外の層を組み合わせることにより、固着インクのかきとり性と液体や洗浄液の吸収性を両立させ、払拭性を向上させることができる。
【００２７】
払拭部材の厚さは、装置構成上の制約や、所望される液体保持力（液体吸収力）によって適宜調整することができ、例えば、０．１ｍｍ以上３．０ｍｍ以下が好ましい。
【００２８】
＜洗浄液＞
払拭装置に搭載される洗浄液は、一般式（１）で表される化合物、及びグリコールエーテル化合物を含有し、必要に応じて他の有機溶剤、界面活性剤、水、及びその他の成分を含有してもよい。この洗浄液を直接的または間接的にノズル形成面に付与してから払拭部材で払拭することで、ノズル形成面に形成された固着物の粘性が低下し除去が容易になる。なお、本実施形態に用いられるこの洗浄液は、一般式（１）で表される化合物、及びグリコールエーテル化合物を併用することにより、いずれかを単独で用いたときよりも高い洗浄性を得られるという知見に基づく。また、洗浄液は洗浄液収容容器に充填されて払拭装置に搭載されることが好ましい。
【００２９】
−一般式（１）で表される化合物−
洗浄液は、下記一般式（１）で表される化合物を含む。
【化６】
2020082568.tif 000009
一般式（１）のＲ１は、炭素数１以下４以上のアルキル基であり、例えば、メチル基、エチル基、プロピル基、ブチル基などがあげられる。これらの中でも、メチル基、エチル基、ブチル基が好ましく、メチル基、ｔ−ブチル基がより好ましい。
【００３０】
一般式（１）で表される化合物としては、例えば、一般式（１）中のＲ１がメチル基の場合である３−メトキシ−Ｎ，Ｎ−ジメチルプロピオンアミド、一般式（１）中のＲ１がブチル基の場合である３−ブトキシ−Ｎ，Ｎ−ジメチルプロピオンアミドなどが挙げられる。
これらは、適宜合成したものを使用してもよいし、市販品を使用してもよい。市販品としては、例えば、３−メトキシ−Ｎ，Ｎ−ジメチルプロピオンアミド（エクアミドＭ１００、出光興産株式会社製）、３−ブトキシ−Ｎ，Ｎ−ジメチルプロピオンアミド（エクアミドＢ１００、出光興産株式会社製）などが挙げられる。
【００３１】
３−メトキシ−Ｎ，Ｎ−ジメチルプロピオンアミドを合成する手法の一例を説明する。まず、撹拌装置、熱電対、及び窒素ガス導入管を備えた３００ｍＬセパラブルフラスコに、Ｎ，Ｎ−ジメチルアクリルアミド１９．８２８ｇ、及びエタノール１９．８６８ｇを入れ、窒素ガスを導入しながら撹拌する。次に、ナトリウム−メトキシド０．３３８ｇを加え、３５℃で４時間反応させ、反応終了後、リン酸１５０ｍｇを加え、溶液を均一にした後、３時間放置し、得られた溶液を濾過して、析出物を除去し、エバポレーターで未反応物を除くことで、合成することができる。
【００３２】
３−ブトキシ−Ｎ，Ｎ−ジメチルプロピオンアミドを合成する手法の一例を説明する。まず、撹拌装置、熱電対、及び窒素ガス導入管を備えた３００ｍＬセパラブルフラスコに、Ｎ，Ｎ−ジメチルアクリルアミド１９．８２８ｇ、及びエタノール１９．８６８ｇを入れ、窒素ガスを導入しながら撹拌する。次に、ナトリウム−ブトキシド０．３３８ｇを加え、３５℃で４時間反応させ、反応終了後、リン酸１５０ｍｇを加え、溶液を均一にした後、３時間放置し、得られた溶液を濾過して、析出物を除去し、エバポレーターで未反応物を除き、合成することができる。
【００３３】
一般式（１）で表される化合物の含有量は、洗浄液の全量に対して、２０．０質量％以上５０．０質量％以下が好ましく、３０．０質量％以上４０．０質量％以下がより好ましい。含有量が、２０．０質量％以上５０．０質量％以下であると、洗浄液を用いた固着物の払拭性と、払拭後のインクの吐出安定性（吐出信頼性）、及び液体と洗浄液を混合した際に粘度が大きく変化しない混合安定性を両立することができる。
【００３４】
−グリコールエーテル化合物−
グリコールエーテル化合物は、インクなどの液体が固着して形成される固着物に対して作用する力が強く、洗浄液を用いた固着物の払拭性を向上させることができる。また、グリコールエーテル化合物と一般式（１）で表される化合物を併用することで、洗浄液を用いた固着物の払拭性と、払拭後のインクの吐出安定性（吐出信頼性）、及び液体と洗浄液を混合した際に粘度が大きく変化しない混合安定性を両立することができる。グリコールエーテル化合物としては、例えば、エチレングリコールモノブチルエーテル、プロピレングリコールモノメチルエーテル、プロピレングリコールモノブチルエーテル、ジエチレングリコールモノエチルエーテル、ジエチレングリコールモノブチルエーテル、ジエチレングリコールメチルエチルエーテル、ジプロピレングリコールモノメチルエーテル、ジプロピレングリコールモノエチルエーテル、プロピレングリコール−ｎ−プロピルエーテル、トリエチレングリコールモノメチルエーテル、トリエチレングリコールモノエチルエーテル、トリエチレングリコールモノブチルエーテル、トリプロピレングリコールモノメチルエーテル、下記一般式（２）で表されるジアルキルグリコールエーテル化合物などが挙げられる。これらは、１種単独で使用してもよいし、２種以上を併用してもよい。これらの中でも、液体の固着物の軟化が起こりやすく、より洗浄液を用いた固着物の払拭性が向上する点から、下記一般式（２）で表されるジアルキルグリコールエーテル化合物が特に好ましい。
【化７】
2020082568.tif 000010
一般式（２）で表される化合物のＲ２はそれぞれ独立してＣｎＨ２ｎ＋１であり、Ｒ３は水素原子またはメチル基である。ただし、ｍは１以上４以下の整数であり、ｎは１以上４以下の整数である。なお、Ｒ２に関し「それぞれ独立して」とは、一般式（２）中に２つ存在するＲ２がＣｎＨ２ｎ＋１満たす範囲で同一であっても異なってもよいことを表す。
【００３５】
一般式（２）で表されるジアルキルグリコールエーテル化合物としては、例えば、ジエチレングリコールジメチルエーテル、ジエチレングリコールジエチルエーテル、ジエチレングリコールジブチルエーテル、テトラエチレングリコールジメチルエーテル、テトラエチレングリコールジエチルエーテルなどが挙げられる。
【００３６】
グリコールエーテル化合物の含有量としては、洗浄液全量に対して、１．０質量％以上３０．０質量％以下が好ましく、１０．０質量％以上２０．０質量％以下がより好ましい。含有量が、１．０質量％以上３０．０質量％以下であれば、洗浄液を用いた固着物の払拭性、払拭後のインクの吐出安定性（吐出信頼性）、及び液体と洗浄液を混合した際に粘度が大きく変化しない混合安定性を両立することができる。
【００３７】
−他の有機溶剤−
他の有機溶剤としては、特に制限はなく、目的に応じて適宜選択することができ、例えば、水溶性有機溶剤などが挙げられる。水溶性有機溶剤としては、特に制限はなく、目的に応じて適宜選択することができ、例えば、多価アルコール類、含窒素複素環化合物、アミド類、アミン類、含硫黄化合物類、プロピレンカーボネート、炭酸エチレン、炭素数８以上のポリオール化合物などが挙げられる。これらは、１種単独で使用してもよいし、２種以上を併用してもよい。
【００３８】
多価アルコール類としては、例えば、エチレングリコール、ジエチレングリコール、１，２−プロパンジオール、１，３−プロパンジオール、１，２−ブタンジオール、１，３−ブタンジオール、１，４−ブタンジオール、２，３−ブタンジオール、３−メチル−１，３−ブタンジオール、トリエチレングリコール、ポリエチレングリコール、ポリプロピレングリコール、１，２−ペンタンジオール、１，３−ペンタンジオール、１，４−ペンタンジオール、２，４−ペンタンジオール、１，５−ペンタンジオール、１，２−ヘキサンジオール、１，６−ヘキサンジオール、１，３−ヘキサンジオール、２，５−ヘキサンジオール、１，５−ヘキサンジオール、グリセリン、１，２，６−ヘキサントリオール、２−エチル−１，３−ヘキサンジオール、エチル−１，２，４−ブタントリオール、１，２，３−ブタントリオール、２，２，４−トリメチル−１，３−ペンタンジオール、ペトリオールなどが挙げられる。
【００３９】
含窒素複素環化合物としては、例えば、２−ピロリドン、Ｎ−メチル−２−ピロリドン、Ｎ−ヒドロキシエチル−２−ピロリドン、１，３−ジメチル−２−イミダゾリジノン、ε−カプロラクタム、γ−ブチロラクトンなどが挙げられる。
【００４０】
アミン類としては、例えば、モノエタノールアミン、ジエタノールアミン、トリエチルアミンなどが挙げられる。
【００４１】
含硫黄化合物類としては、例えば、ジメチルスルホキシド、スルホラン、チオジエタノールなどが挙げられる。
【００４２】
炭素数８以上のポリオール化合物としては、例えば、２−エチル−１，３−ヘキサンジオール、２，２，４−トリメチル−１，３−ペンタンジオールなどが挙げられる。
【００４３】
有機溶剤の合計含有量としては、洗浄液全量に対して、１０．０質量％以上５０．０質量％以下が好ましく、２０．０質量％以上３０．０質量％以下がより好ましい。
【００４４】
＜界面活性剤＞
界面活性剤としては、ポリオキシアルキレン界面活性剤、シリコーン界面活性剤、フッ素界面活性剤、両性界面活性剤、ノニオン界面活性剤、及びアニオン界面活性剤のいずれも使用可能であるが、ポリオキシアルキレン界面活性剤、シリコーン界面活性剤が好ましく、洗浄液を用いた固着物の払拭性、及び洗浄液の保存安定性の点から、ポリオキシアルキレン界面活性剤が特に好ましい。これらは、１種を単独で用いても、２種以上を併用してもよい。
【００４５】
ポリオキシアルキレン界面活性剤としては、例えば、ポリオキシエチレンジスチレン化フェニルエーテル、ポリオキシエチレンポリオキシプロピレンアルキルエーテルなどが挙げられる。
【００４６】
ポリオキシアルキレン界面活性剤としては、適宜合成したものを使用してもよいし、市販品を使用してもよい。市販品としては、例えば、エマルゲンＡ−６０（ポリオキシエチレンジスチレン化フェニルエーテル）、エマルゲンＬＳ−１０６（ポリオキシエチレンポリオキシプロピレンアルキルエーテル）、エマルゲンＬＳ−１１０（ポリオキシエチレンポリオキシプロピレンアルキルエーテル）（いずれも、花王株式会社製、高級アルコール系エーテル型非イオン性界面活性剤）などが挙げられる。これらは、１種単独で使用してもよいし、２種以上を併用してもよい。
【００４７】
シリコーン系界面活性剤としては、特に制限はなく、目的に応じて適宜選択することができるが、例えば、側鎖変性ポリジメチルシロキサン、両末端変性ポリジメチルシロキサン、片末端変性ポリジメチルシロキサン、側鎖両末端変性ポリジメチルシロキサンなどが挙げられ、変性基としてポリオキシエチレン基、ポリオキシエチレンポリオキシプロピレン基を有するポリエーテル変性シリコーン系界面活性剤が水系界面活性剤として良好な性質を示すので特に好ましい。
また、シリコーン系界面活性剤として、ポリエーテル変性シリコーン系界面活性剤を用いることもでき、例えば、ポリアルキレンオキシド構造をジメチルシロキサンのＳｉ部側鎖に導入した化合物などが挙げられる。
【００４８】
シリコーン系界面活性剤としては、適宜合成したものを使用してもよいし、市販品を使用してもよい。市販品としては、例えば、ビックケミー株式会社、信越化学工業株式会社、東レ・ダウコーニング・シリコーン株式会社、日本エマルジョン株式会社、共栄社化学などから入手できる。
ポリエーテル変性シリコーン系界面活性剤としては、特に制限はなく、目的に応じて適宜選択することができ、例えば、一般式（Ｓ−１）式で表わされる、ポリアルキレンオキシド構造をジメチルポリシロキサンのＳｉ部側鎖に導入したものなどが挙げられる。
［一般式（Ｓ−１）］
【化８】
2020082568.tif 000011
（但し、一般式（Ｓ−１）式中、ｍ、ｎ、ａ、及びｂは、それぞれ独立に、整数を表わし、Ｒは、アルキレン基を表し、Ｒ’は、アルキル基を表す。）
【００４９】
ポリエーテル変性シリコーン系界面活性剤としては、市販品を用いることができ、例えば、ＫＦ−６１８、ＫＦ−６４２、ＫＦ−６４３（信越化学工業株式会社）、ＥＭＡＬＥＸ−ＳＳ−５６０２、ＳＳ−１９０６ＥＸ（日本エマルジョン株式会社）、ＦＺ−２１０５、ＦＺ−２１１８、ＦＺ−２１５４、ＦＺ−２１６１、ＦＺ−２１６２、ＦＺ−２１６３、ＦＺ−２１６４（東レ・ダウコーニング・シリコーン株式会社）、ＢＹＫ−３３、ＢＹＫ−３８７（ビックケミー株式会社）、ＴＳＦ４４４０、ＴＳＦ４４５２、ＴＳＦ４４５３（東芝シリコーン株式会社）などが挙げられる。
【００５０】
フッ素系界面活性剤としては、例えば、パーフルオロアルキルスルホン酸化合物、パーフルオロアルキルカルボン酸化合物、パーフルオロアルキルリン酸エステル化合物、パーフルオロアルキルエチレンオキサイド付加物及びパーフルオロアルキルエーテル基を側鎖に有するポリオキシアルキレンエーテルポリマー化合物が、起泡性が小さいので特に好ましい。前記パーフルオロアルキルスルホン酸化合物としては、例えば、パーフルオロアルキルスルホン酸、パーフルオロアルキルスルホン酸塩等が挙げられる。パーフルオロアルキルカルボン酸化合物としては、例えば、パーフルオロアルキルカルボン酸、パーフルオロアルキルカルボン酸塩等が挙げられる。パーフルオロアルキルエーテル基を側鎖に有するポリオキシアルキレンエーテルポリマー化合物としては、パーフルオロアルキルエーテル基を側鎖に有するポリオキシアルキレンエーテルポリマーの硫酸エステル塩、パーフルオロアルキルエーテル基を側鎖に有するポリオキシアルキレンエーテルポリマーの塩等が挙げられる。これらフッ素系界面活性剤における塩の対イオンとしては、Ｌｉ、Ｎａ、Ｋ、ＮＨ４、ＮＨ３ＣＨ２ＣＨ２ＯＨ、ＮＨ２（ＣＨ２ＣＨ２ＯＨ）２、ＮＨ（ＣＨ２ＣＨ２ＯＨ）３等が挙げられる。
【００５１】
両性界面活性剤としては、例えばラウリルアミノプロピオン酸塩、ラウリルジメチルベタイン、ステアリルジメチルベタイン、ラウリルジヒドロキシエチルベタインなどが挙げられる。
【００５２】
ノニオン系界面活性剤としては、例えば、ポリオキシエチレンアルキルフェニルエーテル、ポリオキシエチレンアルキルエステル、ポリオキシエチレンアルキルアミン、ポリオキシエチレンアルキルアミド、ポリオキシエチレンプロピレンブロックポリマー、ソルビタン脂肪酸エステル、ポリオキシエチレンソルビタン脂肪酸エステル、アセチレンアルコールのエチレンオキサイド付加物などが挙げられる。
【００５３】
アニオン系界面活性剤としては、例えば、ポリオキシエチレンアルキルエーテル酢酸塩、ドデシルベンゼンスルホン酸塩、ラウリル酸塩、ポリオキシエチレンアルキルエーテルサルフェートの塩、などが挙げられる。
【００５４】
界面活性剤の含有量としては、特に制限はなく、目的に応じて適宜選択することができるが、保存安定性の点から、０．００１質量％以上５質量％以下が好ましく、０．０５質量％以上５質量％以下がより好ましく、０．１質量％以上３質量％以下が更に好ましい。
【００５５】
なお、洗浄液の静的表面張力は、洗浄液に使用する界面活性剤の種類や量を調整することにより、後述するインク等の液体の静的表面張力より高いことが好ましい。洗浄液の静的表面張力を液体の静的表面張力より高くすることで、払拭部材でノズル形成面を払拭した際に、ノズル孔内に洗浄液が侵入することを抑制することができる。ノズル孔内に洗浄液が侵入することを抑制することで、ノズル孔内の液体と洗浄液が混合して液体の機能が低下することを抑制することができる。例えば、液体がインクである場合、洗浄液がノズル孔内に侵入してインクと混合すると、払拭後にインクを用いて形成される画像の画像濃度が低下するが、これを抑制することができる。
【００５６】
−水−
水としては、例えば、イオン交換水、限外濾過水、逆浸透水、蒸留水等の純水、又は超純水などが挙げられる。
水の含有量としては、特に制限はなく、目的に応じて適宜選択することができるが、例えば、洗浄液の全量に対して２０．０質量％以上８０．０質量％以下が好ましく、３０．０質量％以上６０．０質量％以下がより好ましい。
【００５７】
−その他の成分−
その他の成分としては、特に制限はなく、目的に応じて適宜選択することができ、例えば、消泡剤、防腐防黴剤、防錆剤、ｐＨ調整剤などが挙げられる。
【００５８】
−−消泡剤−−
消泡剤としては、特に制限はなく、例えば、シリコーン系消泡剤、ポリエーテル系消泡剤、脂肪酸エステル系消泡剤などが挙げられる。これらは、１種を単独で用いても、２種以上を併用してもよい。これらの中でも、破泡効果に優れる点から、シリコーン系消泡剤が好ましい。
【００５９】
−−防腐防黴剤−−
防腐防黴剤としては、特に制限はなく、例えば、１，２−ベンズイソチアゾリン−３−オンなどが挙げられる。
【００６０】
−−防錆剤−−
防錆剤としては、特に制限はなく、例えば、酸性亜硫酸塩、チオ硫酸ナトリウムなどが挙げられる。
【００６１】
−−ｐＨ調整剤−−
ｐＨ調整剤としては、ｐＨを７以上に調整することが可能であれば、特に制限はなく、ジエタノールアミン、トリエタノールアミン等のアミンなどが挙げられる。
【００６２】
＜液体＞
液体吐出装置に搭載される液体の一例としてインクについて説明する。液体の一例としてのインクは、液体収容容器の一例であるインク収容容器に充填されて液体吐出装置に搭載されることが好ましい。なお、液体としてはインクに限られず、例えば、インク吐出前に記録媒体に付与される前処理液、及びインク吐出後に記録媒体のインク吐出面に付与される後処理液などであってもよい。
液体の一例であるインクは、有機溶剤、及び色材を含有することが好ましく、必要に応じて水、樹脂、及びその他の添加剤を含有してもよい。また、インクは樹脂を含有し、色材を含有しないクリアインクであってもよい。なお、インク中に含まれる樹脂の含有量が多いと、吐出されたインクが乾燥して形成されるインク膜と記録媒体との間における密着性が向上するので好ましいが、インク中に含まれる樹脂の量が多いと、インクの吐出信頼性を維持することが困難となる傾向がある。しかし、上記洗浄液及び払拭手段を用いる本実施形態では、インク膜の除去が容易になるので、インク膜と記録媒体の間における密着性向上およびインクの吐出信頼性維持を両立することができるので好ましい。
【００６３】
−有機溶剤−
インクに使用する有機溶剤としては特に制限されず、水溶性有機溶剤を用いることができる。例えば、多価アルコール類、多価アルコールアルキルエーテル類や多価アルコールアリールエーテル類などのエーテル類、含窒素複素環化合物、アミド類、アミン類、含硫黄化合物類が挙げられる。
水溶性有機溶剤の具体例としては、例えば、エチレングリコール、ジエチレングリコール、１，２−プロパンジオール、１，３−プロパンジオール、１，２−ブタンジオール、１，３−ブタンジオール、１，４−ブタンジオール、２，３−ブタンジオール、３−メチル−１，３−ブタンジオール、トリエチレングリコール、ポリエチレングリコール、ポリプロピレングリコール、１，２−ペンタンジオール、１，３−ペンタンジオール、１，４−ペンタンジオール、２，４−ペンタンジオール、１，５−ペンタンジオール、１，２−ヘキサンジオール、１，６−ヘキサンジオール、１，３−ヘキサンジオール、２，５−ヘキサンジオール、１，５−ヘキサンジオール、グリセリン、１，２，６−ヘキサントリオール、２−エチル−１，３−ヘキサンジオール、エチル−１，２，４−ブタントリオール、１，２，３−ブタントリオール、２，２，４−トリメチル−１，３−ペンタンジオール、ペトリオール等の多価アルコール類、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、テトラエチレングリコールモノメチルエーテル、プロピレングリコールモノエチルエーテル等の多価アルコールアルキルエーテル類、エチレングリコールモノフェニルエーテル、エチレングリコールモノベンジルエーテル等の多価アルコールアリールエーテル類、２−ピロリドン、Ｎ−メチル−２−ピロリドン、Ｎ−ヒドロキシエチル−２−ピロリドン、１，３−ジメチル−２−イミダゾリジノン、ε−カプロラクタム、γ−ブチロラクトン等の含窒素複素環化合物、ホルムアミド、Ｎ−メチルホルムアミド、Ｎ，Ｎ−ジメチルホルムアミド、３−メトキシ−Ｎ，Ｎ−ジメチルプロピオンアミド、３−ブトキシ−Ｎ，Ｎ−ジメチルプロピオンアミド等のアミド類、モノエタノールアミン、ジエタノールアミン、トリエチルアミン等のアミン類、ジメチルスルホキシド、スルホラン、チオジエタノール等の含硫黄化合物、プロピレンカーボネート、炭酸エチレン等が挙げられる。
湿潤剤として機能するだけでなく、良好な乾燥性を得られることから、沸点が２５０℃以下の有機溶剤を用いることが好ましい。
【００６４】
炭素数８以上のポリオール化合物、及びグリコールエーテル化合物も好適に使用される。炭素数８以上のポリオール化合物の具体例としては、２−エチル−１，３−ヘキサンジオール、２，２，４−トリメチル−１，３−ペンタンジオールなどが挙げられる。
グリコールエーテル化合物の具体例としては、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、テトラエチレングリコールモノメチルエーテル、プロピレングリコールモノエチルエーテル等の多価アルコールアルキルエーテル類；エチレングリコールモノフェニルエーテル、エチレングリコールモノベンジルエーテル等の多価アルコールアリールエーテル類などが挙げられる。
【００６５】
炭素数８以上のポリオール化合物、及びグリコールエーテル化合物は、記録媒体として紙を用いた場合に、インクの浸透性を向上させることができる。
【００６６】
有機溶剤のインク中における含有量は、特に制限はなく、目的に応じて適宜選択することができるが、インクの乾燥性及び吐出信頼性の点から、１０質量％以上６０質量％以下が好ましく、２０質量％以上６０質量％以下がより好ましい。
【００６７】
−色材−
色材としては特に限定されず、顔料、染料を使用可能である。顔料としては、無機顔料又は有機顔料を使用することができる。これらは、１種単独で用いてもよく、２種以上を併用してもよい。また、混晶を使用してもよい。
【００６８】
顔料としては、例えば、ブラック顔料、イエロー顔料、マゼンダ顔料、シアン顔料、白色顔料、緑色顔料、橙色顔料、金色や銀色などの光沢色顔料やメタリック顔料などを用いることができる。
無機顔料として、酸化チタン、酸化鉄、炭酸カルシウム、硫酸バリウム、水酸化アルミニウム、バリウムイエロー、カドミウムレッド、クロムイエローに加え、コンタクト法、ファーネス法、サーマル法などの公知の方法によって製造されたカーボンブラックを使用することができる。
また、有機顔料としては、アゾ顔料、多環式顔料（例えば、フタロシアニン顔料、ペリレン顔料、ペリノン顔料、アントラキノン顔料、キナクリドン顔料、ジオキサジン顔料、インジゴ顔料、チオインジゴ顔料、イソインドリノン顔料、キノフタロン顔料など）、染料キレート（例えば、塩基性染料型キレート、酸性染料型キレートなど）、ニトロ顔料、ニトロソ顔料、アニリンブラックなどを使用できる。これらの顔料のうち、溶媒と親和性のよいものが好ましく用いられる。その他、樹脂中空粒子、無機中空粒子の使用も可能である。
顔料の具体例として、黒色用としては、ファーネスブラック、ランプブラック、アセチレンブラック、チャンネルブラック等のカーボンブラック（Ｃ．Ｉ．ピグメントブラック７）類、または銅、鉄（Ｃ．Ｉ．ピグメントブラック１１）、酸化チタン等の金属類、アニリンブラック（Ｃ．Ｉ．ピグメントブラック１）等の有機顔料があげられる。
更に、カラー用としては、Ｃ．Ｉ．ピグメントイエロー１、３、１２、１３、１４、１７、２４、３４、３５、３７、４２（黄色酸化鉄）、５３、５５、７４、８１、８３、９５、９７、９８、１００、１０１、１０４、１０８、１０９、１１０、１１７、１２０、１３８、１５０、１５３、１５５、１８０、１８５、２１３、Ｃ．Ｉ．ピグメントオレンジ５、１３、１６、１７、３６、４３、５１、Ｃ．Ｉ．ピグメントレッド１、２、３、５、１７、２２、２３、３１、３８、４８：２、４８：２（パーマネントレッド２Ｂ（Ｃａ））、４８：３、４８：４、４９：１、５２：２、５３：１、５７：１（ブリリアントカーミン６Ｂ）、６０：１、６３：１、６３：２、６４：１、８１、８３、８８、１０１（べんがら）、１０４、１０５、１０６、１０８（カドミウムレッド）、１１２、１１４、１２２（キナクリドンマゼンタ）、１２３、１４６、１４９、１６６、１６８、１７０、１７２、１７７、１７８、１７９、１８４、１８５、１９０、１９３、２０２、２０７、２０８、２０９、２１３、２１９、２２４、２５４、２６４、Ｃ．Ｉ．ピグメントバイオレット１（ローダミンレーキ）、３、５：１、１６、１９、２３、３８、Ｃ．Ｉ．ピグメントブルー１、２、１５（フタロシアニンブルー）、１５：１、１５：２、１５：３、１５：４（フタロシアニンブルー）、１６、１７：１、５６、６０、６３、Ｃ．Ｉ．ピグメントグリーン１、４、７、８、１０、１７、１８、３６、等がある。
【００６９】
染料としては、特に限定されることなく、酸性染料、直接染料、反応性染料、及び塩基性染料が使用可能であり、１種単独で用いてもよく、２種以上を併用してもよい。
染料として、例えば、Ｃ．Ｉ．アシッドイエロー１７，２３，４２，４４，７９，１４２、Ｃ．Ｉ．アシッドレッド５２，８０，８２，２４９，２５４，２８９、Ｃ．Ｉ．アシッドブルー９，４５，２４９、Ｃ．Ｉ．アシッドブラック１，２，２４，９４、Ｃ．Ｉ．フードブラック１，２、Ｃ．Ｉ．ダイレクトイエロー１，１２，２４，３３，５０，５５，５８，８６，１３２，１４２，１４４，１７３、Ｃ．Ｉ．ダイレクトレッド１，４，９，８０，８１，２２５，２２７、Ｃ．Ｉ．ダイレクトブルー１，２，１５，７１，８６，８７，９８，１６５，１９９，２０２、Ｃ．Ｉ．ダイレクドブラック１９，３８，５１，７１，１５４，１６８，１７１，１９５、Ｃ．Ｉ．リアクティブレッド１４，３２，５５，７９，２４９、Ｃ．Ｉ．リアクティブブラック３，４，３５が挙げられる。
【００７０】
インク中の色材の含有量は、画像濃度の向上、良好な定着性や吐出安定性の点から、０．１質量％以上１５質量％以下が好ましく、より好ましくは１質量％以上１０質量％以下である。
【００７１】
顔料を分散してインクを得るためには、顔料に親水性官能基を導入して自己分散性顔料とする方法、顔料の表面を樹脂で被覆して分散させる方法、分散剤を用いて分散させる方法、などが挙げられる。
顔料に親水性官能基を導入して自己分散性顔料とする方法としては、例えば、顔料（例えばカーボン）にスルホン基やカルボキシル基等の官能基を付加することで、水中に分散可能とする方法が挙げられる。
顔料の表面を樹脂で被覆して分散させる方法としては、顔料をマイクロカプセルに包含させ、水中に分散可能とする方法が挙げられる。これは、樹脂被覆顔料と言い換えることができる。この場合、インクに配合される顔料はすべて樹脂に被覆されている必要はなく、被覆されない顔料や、部分的に被覆された顔料がインク中に分散していてもよい。
分散剤を用いて分散させる方法としては、界面活性剤に代表される、公知の低分子型の分散剤、高分子型の分散剤を用いて分散する方法が挙げられる。分散剤としては、顔料に応じて例えば、アニオン界面活性剤、カチオン界面活性剤、両性界面活性剤、ノニオン界面活性剤等を使用することが可能である。竹本油脂社製ＲＴ−１００（ノニオン系界面活性剤）や、ナフタレンスルホン酸Ｎａホルマリン縮合物も、分散剤として好適に使用できる。分散剤は１種を単独で用いても、２種以上を併用してもよい。
【００７２】
−水−
インクにおける水の含有量は、特に制限はなく、目的に応じて適宜選択することができるが、インクの乾燥性及び吐出信頼性の点から、１０質量％以上９０質量％以下が好ましく、２０質量％〜６０質量％がより好ましい。
【００７３】
−樹脂−
インク中に含有する樹脂の種類としては、特に制限はなく、目的に応じて適宜選択することができ、例えば、ウレタン樹脂、ポリエステル樹脂、アクリル系樹脂、酢酸ビニル系樹脂、スチレン系樹脂、ブタジエン系樹脂、スチレン−ブタジエン系樹脂、塩化ビニル系樹脂、アクリルスチレン系樹脂、アクリルシリコーン系樹脂などが挙げられる。これらは、１種単独で使用してもよいし、２種以上を併用してもよい。これらの中でも、ウレタン樹脂が好ましい。また、樹脂は樹脂粒子として用いることが好ましい。樹脂粒子を、水を分散媒として分散した樹脂エマルションの状態で、色材や有機溶剤などの材料と混合してインクを得ることが可能である。
【００７４】
樹脂粒子の体積平均粒径としては、特に制限はなく、目的に応じて適宜選択することができるが、良好な定着性、高い画像硬度を得る点から、１０ｎｍ以上１，０００ｎｍ以下が好ましく、１０ｎｍ以上２００ｎｍ以下がより好ましく、１０ｎｍ以上１００ｎｍ以下が特に好ましい。体積平均粒径は、例えば、粒度分析装置（ナノトラック  Ｗａｖｅ−ＵＴ１５１、マイクロトラック・ベル株式会社製）を用いて測定することができる。
【００７５】
樹脂粒子の含有量としては、特に制限はなく、目的に応じて適宜選択することができるが、定着性、インクの保存安定性の点から、インク全量に対して、１質量％以上３０質量％以下が好ましく、５質量％以上２０質量％以下がより好ましい。
【００７６】
−添加剤−
インクには、必要に応じて、界面活性剤、消泡剤、防腐防黴剤、防錆剤、ｐＨ調整剤等を加えても良い。これらは、洗浄液と同様のものを用いることができる。
【００７７】
−インクの物性−
インクの物性としては、特に制限はなく、目的に応じて適宜選択することができ、例えば、粘度、ｐＨ等が以下の範囲であることが好ましい。
インクの２５℃での粘度は、５ｍＰａ・ｓ以上３０ｍＰａ・ｓ以下が好ましく、５ｍＰａ・ｓ以上２５ｍＰａ・ｓ以下がより好ましい。ここで、粘度は、例えば回転式粘度計（東機産業社製ＲＥ−８０Ｌ）を使用することができる。測定条件としては、２５℃で、標準コーンローター（１°３４’×Ｒ２４）、サンプル液量１．２ｍＬ、回転数５０ｒｐｍ、３分間で測定可能である。
インクのｐＨとしては、接液する金属部材の腐食防止の観点から、７〜１２が好ましく、８〜１１がより好ましい。
【００７８】
＜記録媒体＞
液体が付与される記録媒体としては特に制限はなく、普通紙、光沢紙、特殊紙、布などを用いることもできるが、非浸透性基材を用いても良好な画像形成が可能である。なお、記録媒体とは、液体が一時的にでも付着可能なものを意味する。
非浸透性基材とは、水透過性、吸収性が低い表面を有する基材であり、内部に多数の空洞があっても外部に開口していない材質も含まれ、より定量的には、ブリストー（Ｂｒｉｓｔｏｗ）法において接触開始から３０ｍｓｅｃ１／２までの水吸収量が１０ｍＬ／ｍ２以下である基材をいう。
非浸透性基材としては、例えば、塩化ビニル樹脂フィルム、ポリエチレンテレフタレート（ＰＥＴ）フィルム、ポリプロピレン、ポリエチレン、ポリカーボネートフィルムなどのプラスチックフィルムを、好適に使用することができる。
記録媒体としては、一般的な記録媒体として用いられるものに限られず、壁紙、床材、
タイル等の建材、Ｔシャツなど衣料用等の布、テキスタイル、皮革等を適宜使用することができる。また、記録媒体を搬送する経路の構成を調整することにより、セラミックスやガラス、金属などを使用することもできる。
【実施例】
【００７９】
以下、本発明の実施例を説明するが、本発明はこれら実施例に何ら限定されるものではない。なお、下記実施例の白色インク、洗浄液の調整、及び各種評価は、特に記載がない場合、温度２５℃、湿度６０％の環境下で行った。
【００８０】
＜白色顔料分散体の作製＞
ビーカー中でポリオキシエチレンスチレン化フェニルエーテル（ノイゲンＥＡ−１７７、第一工業製薬株式会社製、固形分量１００質量％）５．０ｇを、高純水２００．０ｇに溶解させ、アルキレンビスメラミン化合物である有機白色顔料粒子（Ｓｈｉｇｅｎｏｘ  ＯＷＰ、ハッコールケミカル社製）５０．０ｇを添加して、株式会社日本精機製作所製エクセルオートホモジナイザーで５，０００ｒｐｍ、３０分間撹拌を行いながら、塊のない状態まで分散し、徐々に回転数を上げていき、１０，０００ｒｐｍで３０分間撹拌を行った。
得られた有機白色顔料粒子分散液を水冷しながら、超音波ホモジナイザー（ＵＳ−３００Ｔ、株式会社日本精機製作所製、チップ直径２６ｍｍ）にて２００μＡで１時間処理した。
得られた有機白色顔料粒子分散液を、シンマルエンタープライゼス社製ＤＹＮＯ−Ｍｉｌマルチラボ型分散機に、メディアとして直径２ｍｍのジルコニアビーズをビーズ充填率７０体積％、撹拌翼の周速８ｍ／ｓ、バッチ処理で３０分間処理した。その後、ナノメーカー（アドバンスドナノテクノロジー社製）を用いて、１００ＭＰａの圧力で２０パス分散処理を行った。
次いで、平均孔径５μｍのメンブランフィルター（セルロースアセテート膜）にて濾過を行い、有機白色顔料粒子の含有量が１９．６質量％の有機白色顔料粒子分散体を得た。
【００８１】
＜白色インクの調整＞
次に、１，３−ブタンジオール１５．０質量％、１，２−プロパンジオール１５．０質量％、アクリル樹脂エマルション（商品名：ボンコートＲ−３３８０−Ｅ、ＤＩＣ株式会社製、固形分４５質量％）６．７質量％（固形分量換算）、及びフッ素界面活性剤（商品名：Ｚｏｎｙｌ（登録商標）ＦＳＯ−１００、ＤｕＰｏｎｔ社製）１．０質量％を添加して撹拌混合後、製造した有機白色顔料粒子分散体２０．０質量％、及び合計１００質量％となるようにイオン交換水を残量添加して、１時間撹拌した。
次に、平均孔径が１．５μｍのポリプロピレンフィルターを用いて加圧濾過して、粗大粒子を除去し、白色インクを調整した。白色インクの成分を表１に示す。なお、表１中、アクリル樹脂エマルションの含有量は、固形分量換算による数値である。
【００８２】
【表１】
2020082568.tif 000012
【００８３】
表１中における、成分の商品名、及び製造会社名については、下記の通りである。
・１，３−ブタンジオール：東京化成工業株式会社製
・１，２−プロパンジオール：三井化学株式会社製
・アクリル樹脂エマルション：ＤＩＣ株式会社製、商品名：ボンコートＲ−３３８０−Ｅ、固形分：４５質量％
・界面活性剤：ＤｕＰｏｎｔ社製、商品名：Ｚｏｎｙｌ（登録商標）ＦＳＯ−１００
【００８４】
＜洗浄液の調整＞
−洗浄液１の作製−
下記の表２〜３に示す組成及び含有量（数値の単位は質量％である）の洗浄液１〜１０を調整した。
【００８５】
【表２】
2020082568.tif 000013
【００８６】
【表３】
2020082568.tif 000014
【００８７】
表２〜３中における、成分の商品名、及び製造会社名については、下記の通りである。
・一般式（１）の化合物（Ｒ１＝メチル基、３−メトキシ−Ｎ，Ｎ−ジメチルプロピオンアミド、商品名：エクアミドＭ１００、出光興産株式会社製）
・一般式（１）の化合物（Ｒ１＝ブチル基、３−ブトキシ−Ｎ，Ｎ−ジメチルプロピオンアミド、商品名：エクアミドＢ１００、出光興産株式会社製）
・ジエチレングリコールモノブチルエーテル（東京化成工業株式会社製）
・トリエチレングリコールモノエチルエーテル（東京化成工業株式会社製）
・ジエチレングリコールジエチルエーテル（東京化成工業株式会社製）
・商品名：エマルゲンＬＳ−１０６（ポリオキシエチレンポリオキシプロピレンアルキルエーテル、高級アルコール系エーテル型非イオン性界面活性剤、花王株式会社製）
・商品名：エマルゲンＬＳ−１１０（ポリオキシエチレンポリオキシプロピレンアルキルエーテル、高級アルコール系エーテル型非イオン性界面活性剤、花王株式会社製）
【００８８】
＜払拭部材の作製＞
下記表４に示す材質からなるシート状の不織布を用意し、第一層目、第二層目として貼り合わせることで払拭部材を作製した。なお、払拭部材７に関しては単層構造であることを表す。
【００８９】
【表４】
2020082568.tif 000015
【００９０】
次に、作製した白色インク、洗浄液、及び払拭部材を用い、ノズル孔内への洗浄液の侵入性評価、吐出信頼性評価、液体と洗浄液の混合安定性評価、及び固着物の払拭性評価を行った。
【００９１】
［ノズル孔内への洗浄液の侵入性］
図１に示す画像形成吐出装置に白色インクを充填して１５分間印字を行った。その後、図３に示す払拭装置を用い、表５に示す洗浄液を２０μＬ付与した表５に示す払拭部材で液体吐出ヘッドのノズル形成面を押し当て力２Ｎ、拭き取り速度５０ｍｍ／ｓで払拭した。その直後、ノズルから５００滴を記録媒体（スーパーファイン紙（セイコーエプソン株式会社製））上に印字させ、ドットの濃度を観察した。ドットの濃度が液体吐出ヘッドのノズル形成面を払拭する前と同じになるまでのドット数（滴数）を測定し、下記評価基準でノズル孔内への洗浄液の侵入性を評価した。なお、ドット数が少ないほど、ノズル孔内に洗浄液が侵入することを抑制できる（画像濃度低下を抑制できる）ことを意味する。
〔評価基準〕
Ａ：ドット数が１０個未満
Ｂ：ドット数が１０個以上３０個未満
Ｃ：ドット数が３０個以上
【００９２】
［吐出信頼性］
インクジェットヘッド（商品名：ＭＨ５４４０、株式会社リコー製）を有する図１に示す画像形成吐出装置に白色インクを充填して４５分間連続吐出を行った。吐出を停止させてから３０分後に、図３に示す払拭装置を用い、表５に示す洗浄液を５０μＬ付与した表５に示す払拭部材で液体吐出ヘッドのノズル形成面を押し当て力２Ｎ、拭き取り速度５０ｍｍ／ｓで払拭した。その後、白色インクを再度吐出し、下記評価基準で吐出信頼性を評価した。
〔評価基準〕
Ａ：吐出乱れや不吐出は全く見られない
Ｂ：５つ以下のノズルで吐出乱れ、不吐出がある
Ｃ：５つより多いノズルで吐出乱れ、不吐出がある
【００９３】
［液体と洗浄液の混合安定性］
２ｇの白色インク、１８ｇの洗浄液を３０ｍＬ容量のガラス瓶（商品名：ラボランスクリュー管瓶Ｎｏ．６、アズワン社製）に入れて混合し攪拌した。５０℃にて１週間保存した後の顔料の沈降有無を目視で観察し、更に保存前後の混合液の粘度の変化率を下記数式から測定し、下記基準で評価した。なお、粘度は、東機産業株式会社製の粘度計ＲＥ８０Ｌを使用して測定した。粘度測定時の回転数は、トルクが４０％〜８０％の範囲で一定になるように調整した。
【数２】
2020082568.tif 000016
〔評価基準〕
Ａ：顔料の沈降が観察されず、粘度変化率が±５％未満である
Ｂ：顔料の沈降が観察されないが、粘度変化率が±５％以上である
Ｃ：顔料の沈降が観察される
【００９４】
［固着物の払拭性］
ＳＵＳ板上に、直径０．３ｍｍのワイヤーバーで白色インクを塗布した後、乾燥機を用い５０℃環境下で２４時間乾燥させ、平均厚み１５μｍのインク膜を形成した。図３に示す払拭装置を用い、表５に示す洗浄液を２０μＬ付与した表５に示す払拭部材でインク膜が形成されているＳＵＳ板上を押し当て力３Ｎ、拭き取り速度５０ｍｍ／ｓで払拭した。ＳＵＳ板上のインク膜が目視で観察できなくなるまでに要した払拭回数を測定した。なお、払拭回数が少ないほど払拭性が優れ、ノズル形成面の清浄性を維持できることを示す。
〔評価基準〕
Ａ：５回以下の払拭でＳＵＳ板上のインク膜が除去された
Ｂ：６回以上７回以下の払拭でＳＵＳ板上のインク膜が除去された
Ｃ：８回以上１０回以下の払拭でＳＵＳ板上のインク膜が除去された
Ｄ：１０回払拭してもＳＵＳ板上のインク膜が残存していた
【００９５】
【表５】
2020082568.tif 000017
【符号の説明】
【００９６】
３  キャリッジ
４、４ａ、４ｂ  記録ヘッド
４ｎ  ノズル
２０  維持回復機構
２０ｂ  ノズル形成面を払拭する機構
４１  ノズル形成面
３２０  シート状払拭部材
４００  押し当てローラ
４１０  送り出しローラ
４２０  巻き取りローラ
４３０  洗浄液滴下装置
５００  異物
【先行技術文献】
【特許文献】
【００９７】
【特許文献１】特開２０１４−１８８９００号公報
【図１】
2020082568.tif 000022
【図２】
2020082568.tif 000023
【図３】
2020082568.tif 000024
【図４】
2020082568.tif 000025